(57)【要約】【課題】水を使用するフェルトボールの製造法では、粉末や液体による着香が困難である。ペット用遊戯ボールは、ペットだけでなく飼い主の目にも触れるものであり、インテリアとして満足できる素材・色のものが望ましい。着香する素材は、ペットや使用者の健康面に配慮した天然の素材が望ましい。以上が従来技術の課題である。【解決手段】本発明であるフェルトアロマボールには、以下のような手段を用いた。着香したフェルト、コルク等の芯部と、それを覆う表層部の二層構造で、装飾性（色・柄）と香りの持続性を高めた。温かみとインテリア性に優れたフェルト製のボールに、犬猫等の好む香りを付着した。表層の製法としてフェルティングニードル（針）を使用し、液体や粉末による着香を容易にした。着香の素材として、天然素材であるマタタビなどのハーブもしくは精油（エッセンシャルオイル）を使用した。【選択図】図３
2005279227.tif 000002
【特許請求の範囲】
【請求項１】
着香した芯部と、それを覆う表層部の二層からなるフェルトアロマボール。
【請求項２】
ペット遊戯用として、犬猫等の好む香りを着香した、請求項１記載のフェルトアロマボール。
【請求項３】
着香の素材として、天然素材であるマタタビなどのハーブもしくは精油（エッセンシャルオイル）を使用した、請求項１ないし２記載のフェルトアロマボール。
【請求項４】
前記表層部が、内側の無着色の部分と、外側の色・柄などを付した部分からなる請求項１ないし３記載のフェルトアロマボール。
【請求項５】
芯部の素材がフェルト、コルク等である請求項１ないし４記載のフェルトアロマボール。
【請求項６】
表層部の素材として、羊毛、または化学繊維などを使用した、請求項１ないし５記載のフェルトアロマボール。
【請求項７】
着香した芯部の周囲に、材料をフェルティングニードル（針）を使用して球状に付着させ表層とする、フェルトアロマボールの製造方法。
【発明の詳細な説明】
【技術分野】
【０００１】この発明は、遊戯ボールに関するものである。
【背景技術】
【０００２】着香したフェルト素材のボールには、水を使用する製法のものがある（例えば、特許文献１参照）。また、従来のペット用遊戯ボールには、硬質な素材を使用し、着香したものがある（例えば、特許文献２参照）。従来のペット用玩具の着香の香料には、人工的な合成香料のものが見られる。
【特許文献１】特許公開２００２−３１７３６４号
【特許文献２】実用新案登録第３０８６０２２号
【発明の開示】
【発明が解決しようとする課題】
【０００３】特許文献１の例では、フェルトボールの製法に水を使用するため、マタタビやハーブなどの粉末や、精油（エッセンシャルオイル）などの液体による着香は困難であるという課題があった。また、ペット用遊戯ボールは、ペットだけでなく飼い主の目にも触れるものであり、インテリアとして満足できる素材・色のものが求められる。しかしながら、特許文献２の例では、硬質でインテリア性に乏しく、温かみにかけるプラスティックなどの素材を使用せざるを得ないという課題があった。さらに、市販のペット用玩具の着香の素材には、人工的な香料を使用したものが見られるが、ペットや使用者の健康面や安全性について課題がある。
【課題を解決するための手段】
【０００４】以上の課題を解決するために、請求項１の発明は、着香した芯部と、それを覆う表層部の二層からなるフェルトアロマボールである。請求項２の発明は、ペット遊戯用として、犬猫等の好む香りを着香した、請求項１記載のフェルトアロマボールである。請求項３の発明は、着香の素材として、天然素材であるマタタビなどのハーブもしくは精油（エッセンシャルオイル）を使用した、請求項１ないし２記載のフェルトアロマボールである。請求項４の発明は、前記表層部が、内側の無着色の部分と、外側の色・柄などを付した部分からなる請求項１ないし３記載のフェルトアロマボールである。請求項５の発明は、芯部の素材がフェルト、コルク等である請求項１ないし４記載のフェルトアロマボールである。請求項６の発明は、表層部の素材として、羊毛、または化学繊維などを使用した請求項１ないし５記載のフェルトアロマボールである。請求項７の発明は、芯部の周囲に、材料をフェルティングニードル（針）を使用して球状に付着させ表層とする、フェルトアロマボールの製造方法である。
【発明の効果】
【０００５】この発明によれば、構造を二層にし、表層部の製法に水を使用しないことによって、マタタビやハーブなどの粉末や、精油（エッセンシャルオイル）などの液体による着香が容易になる。素材に羊毛などを素材とするフェルトを用いることによって、表層面の色・柄などを自由に設定でき、温かみやインテリア性に優れた遊戯ボールを作ることができる。また、フェルトというやわらかい素材を用いることによって、遊戯用のみならず、仔犬や仔猫などのペットの歯固め的に使用することや、歯ブラシのように口腔の清掃に役立てる目的での利用もできる。着香した芯部（フェルト化した羊毛、コルク等）の表面をフェルト層で覆うことにより、香りの持続性や装飾性を高めることができる。付香する素材として、マタタビなどのハーブや天然のエッセンシャルオイルを用いることにより、ペットや使用者の健康に配慮することができる。
【発明を実施するための最良の形態】
【０００６】以下、添付図１〜３を用いて、実施例を説明する。図１は、表面がフェルトでできたフェルトアロマボールの全体像である。１は、全体に色を付けたフェルトアロマボールの表面である。２は、フェルトアロマボールの表面につけた柄の一例である。フェルトを用いることにより、インテリア性に優れた温かみあふれる質感が得られ、色や柄も自在に付けることができる。また、フェルトという素材はやわらかいので、単に遊戯用のボールという以外に、歯固め的な使用、歯ブラシ的な使用など、さまざまな有効な利用が可能である。【０００７】図２は、フェルトアロマボールの実施例一である。３の着色した表層部が４の着香した芯部を覆っている構造のフェルトアロマボールの断面図である。フェルト状にした羊毛もしくはコルク等、着香しやすい球体の素材に、マタタビやハーブなどの粉末、もしくは植物から抽出した天然の精油（エッセンシャルオイル）など、犬猫の好む香りを付着させる。その上を、さらに羊毛で覆い、フェルティングニードル（針）を用いて球状にフェルト化させ、表層部とする。表層部があることによって、香りの保持と色・柄などを付ける装飾の二つの効果が得られる。また、表層部の製造方法としてフェルティングニードルを使用することによって、従来の製法では難しかった液体や粉末による着香も容易である。【０００８】図３は、フェルトアロマボールの実施例二である。表層部が５の外側（着色した表面）、６の内側（無色）の二層になっており、それが７の芯部を覆っている構造のフェルトアロマボールの断面図である。前記実施例一と同様の特徴に加え、表層部を色や柄を付した外側と無色の内側とという構造にすることで、色のついた羊毛の使用量を抑え、コストを削減することができる。
【図面の簡単な説明】
【０００９】
【図１】本発明、フェルトアロマボールの一例の正面図である。
【図２】本発明、フェルトアロマボールの実施例一の断面図である。
【図３】本発明、フェルトアロマボールの実施例二の断面図である。
【符号の説明】
【００１０】１色を付した表面
２表面に付した柄の一例
３表層部
４着香した芯部
５表層部の外側（着色）
６表層部の内側（無着色）
７着香した芯部
【図１】
2005279227.tif 000003
【図２】
2005279227.tif 000004
【図３】
2005279227.tif 000005